(57)【要約】  外部機器から画像データ及び前記画像データに基づく画像が前記外部機器において表示された時間データを取得する取得部と、前記取得部において取得した前記画像データ及び前記時間データを前記画像データごとに記憶するデータ記憶部と、前記データ記憶部に記憶された前記画像データの優先順位を前記時間データに基づいて決定する優先順位決定部とを備える。
2011099450.tif 000002
【特許請求の範囲】
【請求項１】
外部機器から画像データ及び前記画像データに基づく画像が前記外部機器において表示された時間データを取得する取得部と、
前記取得部において取得した前記画像データ及び前記時間データを前記画像データごとに記憶するデータ記憶部と、
前記データ記憶部に記憶された前記画像データの優先順位を前記時間データに基づいて決定する優先順位決定部と
を備えることを特徴とする画像制御装置。
【請求項２】
前記画像データに基づく画像を表示する画像表示部と、
前記優先順位決定部により決定された前記優先順位に基づいて前記画像データに基づく画像を前記画像表示部に表示させる表示制御部と
を備えることを特徴とする請求項１記載の画像制御装置。
【請求項３】
さらに、前記画像表示部において前記データ記憶部に記憶されている前記画像データに基づく画像が表示された表示時間を計測する表示時間計測部と、
前記表示時間の表示時間データを前記画像データごとに記憶させる時間記憶制御部と
を備え、
前記優先順位決定部は、前記画像データの優先順位を前記時間データ及び前記表示時間データに基づいて決定することを特徴とする請求項２記載の画像制御装置。
【請求項４】
さらに、前記画像表示部において前記データ記憶部に記憶されている前記画像データに基づく画像が表示された表示時間を計測する表示時間計測部と、
前記表示時間の表示時間データを前記画像データごとに記憶させる時間記憶制御部と
を備え、
前記優先順位決定部は、前記画像データの優先順位を前記時間データに代えて前記表示時間データに基づいて決定することを特徴とする請求項２記載の画像制御装置。
【請求項５】
前記表示時間データを記憶する時間記憶部を備え、
前記時間記憶制御部は、前記表示時間データを前記時間記憶部に記憶させることを特徴とする請求項３又は４記載の画像制御装置。
【請求項６】
前記時間記憶制御部は、前記表示時間データを前記画像データのタグ情報として記憶させることを特徴とする請求項３又は４記載の画像制御装置。
【請求項７】
前記時間記憶制御部は、前記画像データに基づく画像を表示した装置の種類に関する情報を前記表示時間データと関連付けて記憶させることを特徴とする請求項３〜６の何れか一項に記載の画像制御装置。
【請求項８】
前記時間記憶制御部は、前記画像データに基づく画像を２Ｄ表示した旨の情報または前記画像データに基づく画像を３Ｄ表示した旨の情報を前記表示時間データと関連付けて記憶させることを特徴とする請求項３〜７の何れか一項に記載の画像制御装置。
【請求項９】
前記時間記憶制御部は、前記画像データに基づいて表示された画像の表示サイズに関する情報を前記表示時間データと関連付けて記憶させることを特徴とする請求項３〜８の何れか一項に記載の画像制御装置。
【請求項１０】
前記画像データに基づく画像を２Ｄ表示した場合の前記表示時間と３Ｄ表示した場合の前記表示時間とは相互に依存していることを特徴とする請求項８又は９記載の画像制御装置。
【請求項１１】
前記時間データ及び前記表示時間データは、予め設定されている所定の時間を越えた時間のデータであることを特徴とする請求項３〜１０の何れか一項に記載の画像制御装置。
【請求項１２】
前記優先順位決定部は、それぞれ重みづけされた前記時間データ及び前記表示時間データに基づいて前記画像データの優先順位を決定することを特徴とする請求項３〜１１の何れか一項に記載の画像制御装置。
【請求項１３】
デジタルカメラと画像表示装置とを備える画像制御システムであって、
前記デジタルカメラは、
画像データを記憶する画像記憶部と、
前記画像データに基づく画像を再生する画像再生部と、
前記画像再生部において前記画像データに基づく画像が再生された時間を計測する時間計測部と、
前記時間の時間データを前記画像データごとに記憶させる時間記憶制御部とを備え、
前記画像制御装置は、
前記デジタルカメラから前記画像データ及び前記時間データを取得する取得部と、
前記取得部において取得した前記画像データ及び前記時間データを前記画像データごとに記憶するデータ記憶部と、
前記データ記憶部に記憶された前記画像データの優先順位を前記時間データに基づいて決定する優先順位決定部と
を備えることを特徴とする画像制御システム。
【請求項１４】
前記画像制御装置は、
前記画像データに基づく画像を表示する画像表示部と、
前記優先順位決定部により決定された前記優先順位に基づいて前記画像データに基づく画像を前記画像表示部に表示させる表示制御部と
を備えることを特徴とする請求項１３記載の画像制御システム。
【請求項１５】
前記デジタルカメラは、前記時間データを記憶する時間記憶部を備え、
前記時間記憶制御部は、前記時間データを前記時間記憶部に記憶させることを特徴とする請求項１４記載の画像制御システム。
【請求項１６】
前記時間記憶制御部は、前記時間データを前記画像データのタグ情報として記憶させることを特徴とする請求項１４記載の画像制御システム。
【請求項１７】
前記画像再生部は、前記画像データに基づく画像を表示する表示部または前記画像データに基づく画像を投影する投影部であることを特徴とする請求項１３〜１６の何れか一項に記載の画像制御システム。
【請求項１８】
画像表示装置とデジタルカメラとを備える画像制御システムであって、
前記画像表示装置は、
画像データを記憶する画像記憶部と、
前記画像データに基づく画像を表示する画像表示部と、
前記画像表示部において前記画像データに基づく画像が表示された表示時間を計測する表示時間計測部と、
前記表示時間の表示時間データを前記画像データごとに記憶させる時間記憶制御部とを備え、
前記デジタルカメラは、
前記画像表示装置から前記画像データ及び前記表示時間データを取得する取得部と、
前記取得部において取得した前記画像データ及び前記表示時間データを前記画像データごとに記憶するデータ記憶部と、
前記データ記憶部に記憶された前記画像データの優先順位を前記表示時間データに基づいて決定する優先順位決定部と
を備えることを特徴とする画像制御システム。
【請求項１９】
前記デジタルカメラは、
前記画像データに基づく画像を再生する画像再生部と、
前記優先順位決定部で決定した前記優先順位に基づいて前記画像データに基づく画像を前記画像再生部に再生させる再生制御部と
を備えることを特徴とする請求項１８記載の画像制御システム。
【請求項２０】
前記画像表示装置は、前記表示時間データを記憶する時間記憶部を備え、
前記時間記憶制御部は、前記表示時間データを前記時間記憶部に記憶させることを特徴とする請求項１９記載の画像制御システム。
【請求項２１】
前記時間記憶制御部は、前記表示時間データを前記画像データのタグ情報として記憶させることを特徴とする請求項１９記載の画像制御システム。
【請求項２２】
前記画像再生部は、前記画像データに基づく画像を表示する表示部または前記画像データに基づく画像を投影する投影部であることを特徴とする請求項１８〜２１の何れか一項に記載の画像制御システム。
【請求項２３】
外部機器から画像データ及び前記画像データに基づく画像が前記外部機器において表示された時間データを取得する取得部と、
前記取得部において取得した前記画像データ及び前記時間データを前記画像データごとに記憶するデータ記憶部と、
前記データ記憶部に記憶された前記画像データの優先順位を前記時間データに基づいて決定する優先順位決定部と、
前記画像データに基づく画像を再生する画像再生部と、
前記優先順位決定部により決定された前記優先順位に基づいて前記画像データに基づく画像を前記画像再生部により再生させる再生制御部と
を備えることを特徴とするデジタルカメラ。
【請求項２４】
前記画像再生部は、前記画像データに基づく画像を表示する表示部または前記画像データに基づく画像を投影する投影部であることを特徴とする請求項２３記載のデジタルカメラ。
【請求項２５】
画像データを記憶する画像記憶部と、
前記画像データに基づく画像を再生する表示部と、
前記画像データに基づく画像を投影する投影部と、
前記表示部により前記画像データに基づく画像が再生された再生時間を計測する再生時間計測部と、
前記投影部により前記画像データに基づく画像が投影された投影時間を計測する投影時間計測部と、
前記再生時間の再生時間データを前記画像データごとに記憶する再生時間記憶部と、
前記投影時間の投影時間データを前記画像データごとに記憶する投影時間記憶部と、
前記画像記憶部に記憶された前記画像データの優先順位を前記再生時間記憶部に記憶されている再生時間データに基づいて決定する第１優先順位決定部と、
前記画像記憶部に記憶された前記画像データの優先順位を前記投影時間記憶部に記憶されている投影時間データに基づいて決定する第２優先順位決定部と、
前記第２優先順位決定部により決定された前記優先順位に基づいて前記画像記憶部に記憶された前記画像データに基づく画像を前記表示部に表示させる表示制御部と、
前記第１優先順位決定部により決定された前記優先順位に基づいて前記画像記憶部に記憶された前記画像データに基づく画像を前記投影部に投影させる投影制御部と
を備えることを特徴とするデジタルカメラ。
【発明の詳細な説明】
【技術分野】
【０００１】
本発明は、画像制御装置、画像制御システム及びデジタルカメラに関するものである。
【背景技術】
【０００２】
撮像部を有する画像表示装置が知られている（例えば、特許文献１参照）。この画像表
示装置によれば、撮像された画像に優先順位をつけて表示することができる。
【先行技術文献】
【特許文献】
【０００３】
【特許文献１】特開２００８−１６５００９号公報
【発明の概要】
【発明が解決しようとする課題】
【０００４】
しかし、上述の画像表示装置においては、表示する画像の優先順位を決定する際に、他の装置において画像が再生された時間が一切考慮されないという問題があった。【０００５】
本発明の目的は、他の装置において画像が再生された時間に基づいて画像データの優先順位を決定することができる画像制御装置、画像制御システム及びデジタルカメラを提供することである。
【課題を解決するための手段】
【０００６】
本発明の画像制御装置は、外部機器から画像データ及び前記画像データに基づく画像が前記外部機器において表示された時間データを取得する取得部と、前記取得部において取得した前記画像データ及び前記時間データを前記画像データごとに記憶するデータ記憶部と、前記データ記憶部に記憶された前記画像データの優先順位を前記時間データに基づいて決定する優先順位決定部とを備えることを特徴とする。【０００７】
また、本発明の画像制御システムは、デジタルカメラと画像表示装置とを備える画像表示システムであって、前記デジタルカメラは、画像データを記憶する画像記憶部と、前記画像データに基づく画像を再生する画像再生部と、前記画像再生部において前記画像データに基づく画像が再生された時間を計測する時間計測部と、前記時間の時間データを前記画像データごとに記憶させる時間制御部とを備え、前記画像制御装置は、前記デジタルカメラから前記画像データ及び前記時間データを取得する取得部と、前記取得部において取得した前記画像データ及び前記時間データを前記画像データごとに記憶するデータ記憶部と、前記データ記憶部に記憶された前記画像データの優先順位を前記時間データに基づいて決定する優先順位決定部とを備えることを特徴とする。【０００８】
また、本発明の画像制御システムは、画像表示装置とデジタルカメラとを備える画像制御システムであって、前記画像表示装置は、画像データを記憶する画像記憶部と、前記画像データに基づく画像を表示する画像表示部と、前記画像表示部において前記画像データに基づく画像が表示された表示時間を計測する表示時間計測部と、前記表示時間の表示時間データを前記画像データごとに記憶させる時間制御部とを備え、前記デジタルカメラは、前記画像表示装置から前記画像データ及び前記表示時間データを取得する取得部と、前記取得部において取得した前記画像データ及び前記表示時間データを前記画像データごとに記憶するデータ記憶部と、前記データ記憶部に記憶された前記画像データの優先順位を前記表示時間データに基づいて決定する優先順位決定部とを備えることを特徴とする。【０００９】
また、本発明のデジタルカメラは、外部機器から画像データ及び前記画像データに基づく画像が前記外部機器において表示された時間データを取得する取得部と、前記取得部において取得した前記画像データ及び前記時間データを前記画像データごとに記憶するデータ記憶部と、前記データ記憶部に記憶された前記画像データの優先順位を前記時間データに基づいて決定する優先順位決定部と、前記画像データに基づく画像を再生する画像再生部と、前記優先順位決定部により決定された前記優先順位に基づいて前記画像データに基づく画像を前記画像再生部により再生させる再生制御部とを備えることを特徴とする。【００１０】
また、本発明のデジタルカメラは、画像データを記憶する画像記憶部と、前記画像データに基づく画像を再生する表示部と、前記画像データに基づく画像を投影する投影部と、前記表示部により前記画像データに基づく画像が再生された再生時間を計測する再生時間計測部と、前記投影部により前記画像データに基づく画像が投影された投影時間を計測する投影時間計測部と、前記再生時間の再生時間データを前記画像データごとに記憶する再生時間記憶部と、前記投影時間の投影時間データを前記画像データごとに記憶する投影時間記憶部と、前記画像記憶部に記憶された前記画像データの優先順位を前記再生時間記憶部に記憶されている再生時間データに基づいて決定する第１優先順位決定部と、前記画像記憶部に記憶された前記画像データの優先順位を前記投影時間記憶部に記憶されている投影時間データに基づいて決定する第２優先順位決定部と、前記第２優先順位決定部により決定された前記優先順位に基づいて前記画像記憶部に記憶された前記画像データに基づく画像を前記表示部に表示させる表示制御部と、前記第１優先順位決定部により決定された前記優先順位に基づいて前記画像記憶部に記憶された前記画像データに基づく画像を前記投影部に投影させる投影制御部とを備えることを特徴とする。
【発明の効果】
【００１１】
本発明によれば、他の装置において画像が再生された時間に基づいて画像データの優先順位を決定することができる。
【図面の簡単な説明】
【００１２】
【図１】第１の実施の形態に係る画像表示システムにおけるデジタルカメラのシステム構成を示すブロック図である。
【図２】第１の実施の形態に係る画像表示システムにおけるデジタルフォトフレームのシステム構成を示すブロック図である。
【図３】第１の実施の形態に係る画像表示システムにおけるデジタルカメラの画像再生処理を示すフローチャートである。
【図４】第１の実施の形態に係る画像表示システムにおけるデジタルカメラのファイルを示す図である。
【図５】第１の実施の形態に係る画像表示システムにおけるプロジェクタの画像投影処理を示すフローチャートである。
【図６】第１の実施の形態に係る画像表示システムにおけるデジタルフォトフレームの画像表示処理を示すフローチャートである。
【図７】第１の実施の形態に係る画像表示システムにおけるデジタルカメラのファイルを示す図である。
【図８】第１の実施の形態に係る画像表示システムにおけるデジタルフォトフレームの優先順位決定処理を示すフローチャートである。
【図９】第１の実施の形態に係る画像表示システムにおけるデジタルフォトフレームのファイルを示す図である。
【図１０】第２の実施の形態に係る画像表示システムにおけるデジタルカメラの優先順位決定処理を示すフローチャートである。
【図１１】第２の実施の形態に係るデジタルカメラのファイルを示す図である。
【図１２】第３の実施の形態に係るデジタルカメラの優先順位決定処理を示すフローチャートである。
【図１３】第３の実施の形態に係るデジタルカメラのファイルを示す図である。
【図１４】第４の実施の形態に係る画像表示システムにおけるテレビのシステム構成を示すブロック図である。
【図１５】第４の実施の形態に係る画像表示システムにおいて用いる画像ファイルの構成を示す図である。
【図１６】第４の実施の形態に係る画像表示システムにおいて用いる画像ファイルの構成を示す図である。
【図１７】第４の実施の形態に係る画像表示システムにおけるデジタルカメラの画像表示処理を示すフローチャートである。
【図１８】第４の実施の形態に係る画像表示システムにおけるテレビの画像表示処理を示すフローチャートである。
【図１９】第４の実施の形態に係る画像表示システムの優先順位決定処理を示すフローチャートである。
【図２０】第４の実施の形態に係る画像表示システムにおける表示時間及び所定の係数の値を示す図である。
【図２１】第５の実施の形態に係るテレビの優先順位決定処理を示すフローチャートである。
【図２２】実施の形態に係る画像表示システムにおけるデジタルカメラのファイルを示す図である。
【発明を実施するための形態】
【００１３】
以下、図面を参照して第１の実施の形態に係る画像表示システムについて説明する。図１は、第１の実施の形態に係る画像表示システム２におけるデジタルカメラ４のシステム構成を示すブロック図である。画像表示システム２はデジタルカメラ４とデジタルフォトフレーム（以下、ＤＰＦという。）６を備えており、ＵＳＢケーブル７を介して接続されている。デジタルカメラ４はＣＰＵ１０を備え、ＣＰＵ１０には、デジタルカメラ４の電源のオン／オフ状態を切り替える電源スイッチ１２、デジタルカメラ４の機能設定や画像の表示設定の際に使用する操作キー１４、画像をデジタルカメラ４の表示部に再生表示する画像再生モード、画像の投影を行う画像投影モード、画像データの優先順位を決定し優先順位に基づいて画像データに基づく画像を再生表示するランキングモードを設定するモード設定部１６、デジタルカメラ４からＤＰＦ６へのデータの転送を指示するデータ転送ボタン１８、ＵＳＢ機器が接続されるＵＳＢポート２０及びイーサネット（登録商標）規格等のネットワークケーブルが接続されるネットワーク端子２２が設けられている。
【００１４】
また、ＣＰＵ１０には、ＬＣＤ表示部２４の表示を制御する表示制御部２６、被写体を撮像するためのＣＣＤ等により構成される撮像素子を有する撮像部２８、撮像部２８から出力された撮像信号を図示しないＡ／Ｄ変換部においてＡ／Ｄ変換することにより生成された画像データ等を記憶する記憶部３０、撮像部２８において撮像された画像の画像データ等を記憶するメモリカードを着脱するメモリカードスロット３２、画像データに基づく画像を投影する投影部３４、ＬＣＤ表示部２４に再生表示された画像の再生時間（Ｃｃ）及び投影部３４により投影された画像の投影時間（Ｃｐ）をカウントする時間計測部３６、時間計測部３６においてカウントされた再生時間（Ｃｃ）及び投影時間（Ｃｐ）を画像データのファイルごとに記憶するデータ記憶部３８が接続されている。ここで、投影部３４は、光源であるＬＥＤ４０の点灯、消灯及びＬＥＤ４０から射出される投影光の光量を調節する電源制御部４２、投影画像を表示するＬＣＯＳ４４の制御を行う投影制御部４６を備えている。また、ＣＰＵ１０には、フラッシュＲＡＭ４８が接続されており、フラッシュＲＡＭ４８には実施の形態にかかるカメラ全体を制御するためのプログラム、および、後述のフローチャートに示す処理を実行するためのプログラムが格納されている。
【００１５】
図２は、第１の実施の形態に係る画像表示システム２におけるＤＰＦ６のシステム構成を示すブロック図である。ＤＰＦ６はＣＰＵ５０を備え、ＣＰＵ５０には、ＤＰＦ６の電源のオン／オフ状態を切り替える電源スイッチ５２、ＤＰＦ６の機能設定や画像の表示設定の際に使用する操作キー５４、画像を表示する画像表示モード、画像データの優先順位を決定し優先順位に基づいて画像を表示するランキングモードを設定するモード設定部５６、ＤＰＦ６からデジタルカメラ４へのデータの転送を指示するデータ転送ボタン５８、ＵＳＢ機器が接続されるＵＳＢポート６０及びイーサネット（登録商標）規格等のネットワークケーブルが接続されるネットワーク端子６２が設けられている。また、ＣＰＵ５０には、ＬＣＤ表示部６４の表示を制御する表示制御部６６、ＬＣＤ表示部６４に表示する画像の画像データを記憶する記憶部６８、画像データを記憶するメモリカードを着脱するメモリカードスロット７０、ＬＣＤ表示部６４に表示された画像の表示時間（Ｃｄ）をカウントする時間計測部７２、時間計測部７２においてカウントされた表示時間（Ｃｄ）を画像データのファイルごとに記憶するデータ記憶部７４が接続されている。また、ＣＰＵ５０には、フラッシュＲＡＭ７６が接続されており、フラッシュＲＡＭ７６には実施の形態にかかるＤＰＦ全体を制御するためのプログラム、および、後述のフローチャートに示す処理を実行するためのプログラムが格納されている。
【００１６】
次に、図３に示すフローチャートを参照して、第１の実施の形態に係る画像表示システム２におけるデジタルカメラ４の画像再生処理についてについて説明する。まず、モード設定部１６を操作することにより画像再生モードが設定されると、ＣＰＵ１０は、メモリカードスロット３２に装着されているメモリカードから操作者により選択された画像データを読み出し、表示制御部２６を介して画像データに基づく画像をＬＣＤ表示部２４に再生表示する（ステップＳ１１）。画像が再生表示された場合、画像を再生表示した時間が所定の時間経過したか否かの判定を行う（ステップＳ１２）。なお、ステップＳ１２の判定基準となる所定の時間は操作者が任意に、例えば３秒のように設定することができる。画像を再生表示した時間が所定の時間経過した場合は（ステップＳ１２：Ｙ）、時間計測部３６において画像の再生時間（Ｃｃ）のカウントを開始する（ステップＳ１３）。例えば、ＣＰＵ１０は「画像１」を再生表示した時間が３秒経過した場合には「画像１」の再生時間（Ｃｃ）のカウントを開始する。一方、画像を再生表示した時間が３秒経過していない場合はカウントを行わない（ステップＳ１２：Ｎ）。
【００１７】
次に、ＣＰＵ１０は、ＬＣＤ表示部２４に他の画像が再生表示されたか否かの判定を行う（ステップＳ１４）。例えば、操作キー１４により画像のコマ送り等の操作が行われた場合には、ＣＰＵ１０は他の画像が再生表示されたと判定する。他の画像の再生表示が行われなかった場合には（ステップＳ１４：Ｎ）、ＣＰＵ１０は画像再生モードから他のモードに切替えられたか否かの判定を行う（ステップＳ１５）。例えば、モード設定部１６が操作され、投影モードが設定された場合には、他のモードに切替えられたと判定する。他の画像が再生表示された場合（ステップＳ１４：Ｙ）及び他のモードに切替えられた場合には（ステップＳ１５：Ｙ）、ＣＰＵ１０は再生時間（Ｃｃ）を画像データのファイルごとにデータ記憶部３８に記憶されている所定のファイル（以下、第１ファイルという。）に記憶させる（ステップＳ１６）。例えば、「画像１」について再生時間（Ｃｃ）を１０秒のように記憶する。なお、「画像１」から「画像Ｎ」まで再生時間（Ｃｃ）のカウントが行われた場合、第１ファイルには図４に示すように再生時間（Ｃｃ）が記憶される。即ち、当初再生表示された画像である「画像１」について再生時間（Ｃｃ）を１０秒、他の画像である「画像２」について再生時間（Ｃｃ）を１０秒、それ以降に再生表示された「画像３」と「画像４」は再生表示した時間が３秒に満たないため０秒、「画像５」について４０秒、「画像６」について２０秒のように、「画像Ｎ」まで同様に再生表示した画像の画像データのファイルごとに再生時間（Ｃｃ）が記憶される。一方、他のモードに切替えられていない場合には（ステップＳ１５：Ｎ）、画像の再生時間（Ｃｃ）のカウントを継続する（ステップＳ１３）。なお、ＣＰＵ１０はデータ記憶部３８に記憶されている第１ファイルを画像再生モードの終了後メモリカードスロット３２に装着されているメモリカードに記憶させる。
【００１８】
次に、図５に示すフローチャートを参照して、第１の実施の形態に係る画像表示システム２におけるデジタルカメラ４の投影部３４による画像投影処理について説明する。まず、モード設定部１６を操作することにより画像の投影を行う画像投影モードが設定されると、ＣＰＵ１０は、投影部３４に投影開始の指示を行い、電源制御部４２はＬＥＤ４０を点灯する。そして、投影制御部４６は、メモリカードスロット３２に装着されているメモリカードから投影する画像の画像データを読み出してＬＣＯＳ４４に表示し、画像の投影を行う（ステップＳ２１）。画像の投影が行われた場合、ＣＰＵ１０は画像の投影時間が所定の時間経過したか否かの判定を行う（ステップＳ２２）。なお、ステップＳ２２の判定基準となる所定の時間は操作者が任意に、例えば３秒のように設定することができる。画像を投影した時間が所定の時間経過した場合は（ステップＳ２２：Ｙ）、時間計測部３６において画像の投影時間（Ｃｐ）のカウントを開始する（ステップＳ２３）。例えば、「画像１」を投影した時間が３秒経過した場合には、ＣＰＵ１０は「画像１」の投影時間（Ｃｐ）のカウントを開始する。一方、画像を投影した時間が３秒経過していない場合はカウントを行わない（ステップＳ２２：Ｎ）。
【００１９】
次に、ＣＰＵ１０は、他の画像の投影が行われたか否かの判定を行う（ステップＳ２４）。例えば、操作キー１４により投影している画像のコマ送り等の操作が行われた場合には、他の画像の投影が行われたと判定する。他の画像の投影が行われなかった場合は（ステップＳ２４：Ｎ）、ＣＰＵ１０は画像投影モードから他のモードに切替えられたか否かの判定を行う（ステップＳ２５）。例えば、モード設定部１６が操作され、画像再生モードが設定された場合には、他のモードに切替えられたと判定する。他の画像の投影が行われた場合（ステップＳ２４：Ｙ）及び他のモードに切替えられた場合には（ステップＳ２５：Ｙ）、ＣＰＵ１０は投影時間（Ｃｐ）を画像データのファイルごとにデータ記憶部３８に記憶されている第１ファイルに記憶させる（ステップＳ２６）。例えば、「画像１」について投影時間（Ｃｐ）を８秒のように記憶する。なお、「画像１」から「画像Ｎ」まで投影時間（Ｃｐ）のカウントが行われた場合、第１ファイルには図４に示すように投影時間（Ｃｐ）が記憶される。即ち、当初投影された画像である「画像１」について投影時間（Ｃｐ）を８秒、他の画像である「画像２」について投影時間（Ｃｐ）を２０秒、それ以降に投影された「画像３」について５秒、「画像４」について３０秒、「画像５」は投影した時間が３秒に満たないため０秒、「画像６」について８秒のように、「画像Ｎ」まで同様に投影した画像の画像データのファイルごとに投影時間（Ｃｐ）が記憶される。一方、他のモードに切替えられていない場合には（ステップＳ２５：Ｎ）、画像の投影時間（Ｃｐ）のカウントを継続する（ステップＳ２３）。なお、ＣＰＵ１０はデータ記憶部３８に記憶されている第１ファイルを画像投影モードの終了後メモリカードスロット３２に装着されているメモリカードに記憶させる。
【００２０】
次に、第１の実施の形態に係る画像表示システム２におけるデジタルカメラ４からＤＰＦ６へのデータ転送処理について説明する。まず、操作者によりデータ転送ボタン１８が操作されると、デジタルカメラ４のＣＰＵ１０は、メモリカードスロット３２に装着されているメモリカードに記憶される画像データ及び第１ファイルを読み出し、ＵＳＢポート２０からＵＳＢケーブル７を介してＤＰＦ６に対して送信する。ＤＰＦ６はＵＳＢポート６０を介して画像データ及び第１ファイルを受信し、ＣＰＵ５０の指示により画像データ及び第１ファイルがメモリカードスロット７０に装着されているメモリカードに記憶される。
【００２１】
次に、図６に示すフローチャートを参照して、第１の実施の形態に係る画像表示システム２におけるＤＰＦ６の画像表示処理についてについて説明する。まず、モード設定部５６を操作することにより画像表示モードが設定されると、ＣＰＵ５０は、メモリカードスロット７０に装着されているメモリカードから操作者により選択された画像データを読み出し、表示制御部６６を介して画像データに基づく画像をＬＣＤ表示部６４に表示する（ステップＳ３１）。画像が表示された場合、ＣＰＵ５０は画像の表示時間が所定の時間経過したか否かの判定を行う（ステップＳ３２）。なお、ステップＳ３２の判定基準となる所定の時間は操作者が任意に、例えば３秒のように設定することができる。画像の表示時間が所定の時間経過した場合は（ステップＳ３２：Ｙ）、ＣＰＵ５０は時間計測部７２において画像の表示時間（Ｃｄ）のカウントを開始する（ステップＳ３３）。例えば、「画像１」を表示した時間が３秒経過した場合には「画像１」の表示時間（Ｃｄ）のカウントを開始する。一方、画像を表示した時間が３秒経過していない場合はカウントを行わない（ステップＳ３２：Ｎ）。
【００２２】
次に、ＣＰＵ５０は、ＬＣＤ表示部６４に他の画像が表示されたか否かの判定を行う（ステップＳ３４）。例えば、操作キー５４により画像のコマ送り等の操作が行われた場合には、他の画像が表示されたと判定する。他の画像の表示が行われなかった場合は（ステップＳ３４：Ｎ）、ＣＰＵ５０は画像表示モードから他のモードに切替えられたか否かの判定を行う（ステップＳ３５）。例えば、モード設定部５６が操作され、ランキングモードが設定された場合には、他のモードに切替えられたと判定する。他の画像が表示された場合（ステップＳ３４：Ｙ）及び他のモードに切替えられた場合には（ステップＳ３５：Ｙ）、ＣＰＵ５０は表示時間（Ｃｄ）を画像データのファイルごとにデータ記憶部７４に記憶されている所定のファイル（以下、第２ファイルという。）に記憶させる（ステップＳ３６）。例えば、「画像１」についてについては表示した時間が３秒に満たないため表示時間（Ｃｄ）を０秒のように記憶する。なお、「画像１」から「画像Ｎ」まで表示時間（Ｃｄ）のカウントが行われた場合、第２ファイルには図７に示すように表示時間（Ｃｄ）が記憶される。即ち、当初表示された画像である「画像１」については表示した時間が３秒に満たないため表示時間（Ｃｄ）を０秒、他の画像である「画像２」については表示時間（Ｃｄ）を５秒、それ以降に再生表示された「画像３」については１０秒、「画像４」について１５秒、「画像５」について７秒、「画像６」について６秒のように、「画像Ｎ」まで同様に表示した画像の画像データのファイルごとに表示時間（Ｃｄ）が記憶される。一方、他のモードに切替えられていない場合には（ステップＳ３５：Ｎ）、画像の表示時間（Ｃｄ）のカウントを継続する（ステップＳ３３）。なお、ＣＰＵ５０の指示によりデータ記憶部３８に記憶されている第２ファイルが画像表示モードの終了後メモリカードスロット７０に装着されているメモリカードに記憶される。
【００２３】
次に、図８を参照して第１の実施の形態に係る画像表示システム２による優先順位決定処理についてについて説明する。図８は、ＤＰＦ６の優先順位決定処理を示すフローチャートである。まず、モード設定部５６を操作することによりランキングモードが設定されると、ＣＰＵ５０は、メモリカードスロット７０に装着されているメモリカードから第１ファイル及び第２ファイルを読み出し（ステップＳ４１）、第１ファイルと第２ファイルとを合成することにより画像データの優先順位を決定する新たなファイル（以下、第３ファイルという。）を生成する（図９参照）。次に、ＣＰＵ５０は第３ファイルに記憶される画像データごとに、再生時間（Ｃｃ）、投影時間（Ｃｐ）、表示時間（Ｃｄ）の合計である総時間（Ｃａ）の算出を行い、算出した時間を総時間（Ｃａ）として記憶させる（ステップＳ４２）。例えば、「画像１」は、再生時間（Ｃｃ）が１０秒、投影時間（Ｃｐ）が８秒、表示時間（Ｃｄ）が０秒の合計であるため総時間（Ｃａ）は１８秒となる。次に、ＣＰＵ５０は総時間（Ｃａ）の大きい順に画像データの優先順位を決定し、順位を記憶させる（ステップＳ４３）。例えば、図９では、「画像１」の総時間（Ｃａ）が１８秒、「画像２」の総時間（Ｃａ）が３５秒、「画像３」の総時間（Ｃａ）が１５秒、「画像４」の総時間（Ｃａ）が４５秒、「画像５」の総時間（Ｃａ）が４７秒、「画像６」の総時間（Ｃａ）が３４秒であるから、画像データの優先順位は、「画像５」、「画像４」、「画像２」、「画像６」、「画像１」、「画像３」の順になる。次に、ＣＰＵ５０の指示により優先順位に基づいて優先順位の番号の若い順にメモリカードスロット７０に装着されているメモリカードから画像データを順次読み出し、表示制御部６６は読み出した画像データに基づく画像を順次ＬＣＤ表示部６４に表示する（ステップＳ４４）。例えば、１０秒間隔で表示画像を切り替え、優先順位の若い順に画像を表示させる。
【００２４】
なお、この第１の実施の形態に係る画像表示システム２の優先順位決定処理においては、ＤＰＦ６において表示時間（Ｃｄ）のカウントを行い、表示時間（Ｃｄ）を含めて総時間（Ｃａ）の算出を行っているが、ＤＰＦ６における表示時間（Ｃｄ）のカウントを行わなくてもよい。この場合、データ転送処理の後、ＤＰＦ６において、デジタルカメラ４における再生時間（Ｃｃ）と投影時間（Ｃｐ）のみを合計して総時間（Ｃａ）を算出する（ステップＳ４２）。次に、ＣＰＵ５０は画像データの優先順位を決定し（ステップＳ４３）、ＣＰＵ５０の指示により優先順位に基づいて優先順位の番号の若い順にメモリカードスロット７０に装着されているメモリカードから画像データを順次読み出し、読み出した画像データに基づく画像を順次ＬＣＤ表示部６４に表示する（ステップＳ４４）。例えば、１０秒間隔で表示画像を切り替え、優先順位の若い順に画像を表示させる。
【００２５】
この第１の実施の形態に係る画像表示システム２によれば、デジタルカメラ４において画像が再生された時間をカウントし、ＤＰＦ６においてデジタルカメラ４でカウントされた時間に基づいて画像データの優先順位を決定することができる。
【００２６】
次に、図面を参照して第２の実施の形態に係る画像表示システムについて説明する。この第２の実施の形態に係る画像表示システムは、第１の実施の形態に係る画像表示システム２においてＤＰＦ６側で行っている優先順位の決定をデジタルカメラ４側で行うようにしたものである。従って、第１の実施の形態と同一の構成についての詳細な説明は省略し、異なる部分のみについて詳細に説明する。また、第１の実施の形態と同一の構成には同一の符号を付して説明する。
【００２７】
まず、ＤＰＦ６においてＣＰＵ５０は表示時間（Ｃｄ）をカウントして、表示時間（Ｃｄ）を画像データのファイルごとにデータ記憶部７４の第２ファイルに記憶させ、第２ファイルをメモリカードスロット７０に装着されているメモリカードに記憶させる（図７参照）。次に、ＤＰＦ６のＣＰＵ５０は、メモリカードスロット７０に装着されているメモリカードに記憶されている画像データ及び第２ファイルを読み出し、ＵＳＢポート６０からＵＳＢケーブル７を介してデジタルカメラ４に対して送信する。デジタルカメラ４はＵＳＢポート２０を介して画像データ及び第２ファイルを受信し、ＣＰＵ１０は画像データ及び第２ファイルをメモリカードスロット３２に装着されているメモリカードに記憶させる。
【００２８】
次に、デジタルカメラ４において図１０のフローチャートに示す優先順位決定処理を行う。即ち、操作者によりランキングモードが設定されると、ＣＰＵ１０は、メモリカードスロット３２に装着されているメモリカードから第２ファイルを読み出し（ステップＳ５１）、第２ファイルから画像データの優先順位を決定する新たなファイル（以下、第４ファイルという。）を生成する（図１１参照）。次に、ＣＰＵ１０は第４ファイルに記憶される画像データごとに、表示時間（Ｃｄ）から総時間（Ｃａ）の算出を行い、算出した時間を総時間（Ｃａ）の欄に記憶する（ステップＳ５２）。例えば、「画像１」については表示時間（Ｃｄ）が０秒であるため総時間（Ｃａ）は０秒、「画像２」については表示時間（Ｃｄ）が５秒であるため総時間（Ｃａ）は５秒、「画像３」については１０秒、「画像４」については１５秒、「画像５」については７秒、「画像６」については６秒となる。次に、ＣＰＵ１０は総時間（Ｃａ）の大きい順に画像データの優先順位を決定し、順位をランキングの欄に記憶する（ステップＳ５３）。例えば、画像データの優先順位は、「画像４」、「画像３」、「画像５」、「画像６」、「画像２」、「画像１」の順になる。
【００２９】
次に、ＣＰＵ１０の指示により優先順位に基づいて優先順位の番号の若い順にメモリカードスロット３２に装着されているメモリカードから画像データを順次読み出し、表示制御部２６は、読み出した画像データに基づく画像を順次ＬＣＤ表示部２４に再生表示する（ステップＳ５４）。例えば、１０秒間隔で表示画像を切り替え、優先順位の若い順に画像を表示させる。
【００３０】
この第２の実施の形態に係る画像表示システムによれば、ＤＰＦ６において画像が表示された時間をカウントし、デジタルカメラ４においてＤＰＦ６でカウントされた時間に基づいて画像データの優先順位を決定することができる。
【００３１】
なお、優先順位を決定した画像データを投影部３４により投影してもよい。この場合、優先順位を決定した後、ＣＰＵ１０は、投影部３４に投影開始の指示を行い、電源制御部４２はＬＥＤ４０を点灯する。そして、投影制御部４６は、メモリカードスロット３２に装着されているメモリカードから画像データの優先順位に基づいて投影する画像の画像データを読み出してＬＣＯＳ４４に表示し、画像の投影を行う（ステップＳ５４）。
【００３２】
また、デジタルカメラ４側における再生時間（Ｃｃ）及び投影時間（Ｃｐ）の何れか一方または両方を含めて総時間（Ｃａ）を算出するようにしてもよい。例えば、ＤＰＦ６においてＣＰＵ５０の指示により、表示時間（Ｃｄ）のカウントを行い、第２ファイルに記憶し、第２ファイルをＵＳＢケーブル７を介してデジタルカメラ４に対して送信する。第２ファイルはメモリカードスロット３２に装着されているメモリカードに記憶される。次に、デジタルカメラ４においてＣＰＵ１０は再生時間（Ｃｃ）及び投影時間（Ｃｐ）をカウントして、第１ファイルに記憶し、第１ファイルをメモリカードスロット３２に装着されているメモリカードに記憶する。次に、優先順位決定処理を行う。即ち、ＣＰＵ１０はメモリカードスロット３２に装着されているメモリカードから第１ファイル及び第２ファイルを読み出し、第１ファイルと第２ファイルとを合成することによりＣＰＵ１０は第３ファイルを生成する（図９参照）。次に、第３ファイルに記憶される画像データごとに、再生時間（Ｃｃ）、投影時間（Ｃｐ）、表示時間（Ｃｄ）の合計である総時間（Ｃａ）を算出し、画像データの優先順位を決定し、優先順位に基いて優先順位番号の若い順にメモリカードスロット３２に装着されているメモリカードから画像データを順次読み出し、読み出した画像データに基づく画像を順次ＬＣＤ表示部６４に表示する。例えば、１０秒間隔で表示画像を切り替え、優先順位の若い順に画像を表示させる。なお、この場合において、優先順位を決定した画像データを投影部３４により投影してもよい。
【００３３】
次に、図面を参照して第３の実施の形態に係るデジタルカメラ４について説明する。この第３の実施の形態に係る画像表示システムは、第１の実施の形態に係る画像表示システム２において行っている一連の処理を、デジタルカメラ４内で行うようにしものである。従って、第１の実施の形態と同一の構成についての詳細な説明は省略し、異なる部分のみについて詳細に説明する。また、第１の実施の形態と同一の構成には同一の符号を付して説明する。
【００３４】
まず、再生時間（Ｃｃ）をカウントして、再生時間（Ｃｃ）を画像データのファイルごとにデータ記憶部３８の第１ファイルに記憶する。次に、図１２のフローチャートに示す優先順位決定処理を行う。即ち、操作者によりランキングモードが設定されると、ＣＰＵ１０はデータ記憶部３８から第１ファイルを読み出し（ステップＳ６１）、画像データの優先順位を決定する新たなファイル（以下、第５ファイルという。）を生成する（図１３参照）。次に、ＣＰＵ１０は第５ファイルに記憶される画像データごとに、再生時間（Ｃｃ）から総時間（Ｃａ）の算出を行い、算出した時間を総時間（Ｃａ）の欄に記憶する（ステップＳ６２）。例えば、「画像１」については再生時間（Ｃｃ）が１０秒であるため総時間（Ｃａ）は１０秒、「画像２」については再生時間（Ｃｃ）が１０秒であるため総時間（Ｃａ）は１０秒、「画像３」については０秒、「画像４」については０秒、「画像５」については４０秒、「画像６」については２０秒となる。ここで、総時間（Ｃａ）が同一の場合は画像データの番号が小さい方を優先する。
【００３５】
次に、ＣＰＵ１０は総時間（Ｃａ）の大きい順に画像データの優先順位を決定し、順位を記憶する（ステップＳ６３）。例えば、画像データの優先順位は、「画像５」、「画像４」、「画像２」、「画像６」、「画像１」、「画像３」の順になる。次に、投影制御部４６は、ＣＰＵ１０の指示により優先順位に基づいて優先順位の番号の若い順にデータ記憶部３８から投影部３４により投影する画像の画像データを順次読み出してＬＣＯＳ４４に表示し、画像の投影を順次行う（ステップＳ６４）。例えば、１０秒間隔で投影画像を切り替え、優先順位の若い順に画像を表示させる。
【００３６】
この第３の実施の形態に係るデジタルカメラによれば、ＬＣＤ表示部２４において画像が再生表示された時間をカウントし、カウントされた時間に基づいて投影部３４により投影する画像の画像データの優先順位を決定することができる。
【００３７】
なお、ＣＰＵ１０は、投影時間（Ｃｐ）をカウントして投影時間（Ｃｐ）から総時間（Ｃａ）の算出を行い（ステップＳ６２）、総時間（Ｃａ）の大きい順に画像データの優先順位を決定するようにしてもよい（ステップＳ６３）。この場合、表示制御部２６は、投影時間（Ｃｐ）に基づいて決定された優先順位に基づいて画像データに基づく画像を順次ＬＣＤ表示部２４に再生表示する（ステップＳ６４）。
【００３８】
また、再生時間（Ｃｃ）及び投影時間（Ｃｐ）の両方から総時間（Ｃａ）を算出するようにしてもよい。例えば、ＣＰＵ１０は再生時間（Ｃｃ）及び投影時間（Ｃｐ）をそれぞれカウントし、再生時間（Ｃｃ）と投影時間（Ｃｐ）との合計である総時間（Ｃａ）の算出を行い、総時間（Ｃａ）の大きい順に画像データの優先順位を決定し、優先順位に基づいて画像データに基づく画像を順次ＬＣＤ表示部６４に表示または投影部３４により投影するようにしてもよい。
【００３９】
なお、上述の実施の形態においては、総時間（Ｃａ）を算出する際に再生時間（Ｃｃ）、投影時間（Ｃｐ）、表示時間（Ｃｄ）をそのまま合計しているが、重みづけを行った上で算出するようにしてもよい。例えば、ＣＰＵ１０またはＣＰＵ５０は再生時間（Ｃｃ）×α、投影時間（Ｃｐ）×β、表示時間（Ｃｄ）×γのようにα、β、γなどの所定の係数を乗算して総合値を算出し、算出した総合値に基いて表示順または投影順を決定してもよい。これにより、それぞれの時間の重要度を考慮した上で画像データの優先順位を決定することが可能となる。例えば、デジタルカメラ４のＬＣＤ表示部２４に表示される画像は、撮像を行う本人が確認するための画像であることから重要度が低く、投影部３４により投影される画像は、複数の人に見せるための画像であるから重要度が高く、ＤＰＦ６のＬＣＤ表示部６４に表示される画像は、鑑賞するための画像であるため投影部３４により投影される画像ほど重要度が高くないと判断した場合、α＜γ＜βのように係数を設定することにより、投影部３４により投影した画像の優先順位を高く、デジタルカメラ４のＬＣＤ表示部２４に表示した画像の優先順位を低く設定することができる。
【００４０】
また、ＤＰＦ側で作成されたファイルをカメラ側の表示時に利用してもよいし、カメラ側で作成されたファイルをＤＰＦ側で利用してもよい。具体的には、ＣＰＵ１０によって決定された優先順位をＣＰＵ５０が参照しても良いし、ＣＰＵ５０によって決定された優先順位をＣＰＵ１０が参照しても良い。
【００４１】
また、上述の実施の形態においては、ＵＳＢケーブル７を介してデジタルカメラ４とＤＰＦ６との間の通信を行っているが、メモリカードスロット３２、７０にメモリカードを着脱することにより直接メモリカードからデータを取得するようにしてもよい。例えば、第１の実施の形態に係る画像表示システムにおいて、画像再生モードで画像データの再生時間（Ｃｃ）をカウントして第１ファイルに記憶し、第１ファイルを画像再生モードの終了後メモリカードスロット３２に装着されているメモリカードに記憶する。操作者はメモリカードをメモリカードスロット３２から抜き取り、ＤＰＦ６のメモリカードスロット７０に装着する。ＤＰＦ６のＣＰＵ５０は、メモリカードスロット７０に装着されているメモリカードから第１ファイルを読み出して第３ファイルを生成し、再生時間（Ｃｃ）から総時間（Ｃａ）を算出し、総時間（Ｃａ）の大きい順に画像データの優先順位を決定し、表示制御部６６は、優先順位に基づいて画像データに基づく画像を順次ＬＣＤ表示部６４に表示するようにしてもよい。
【００４２】
また、ワイヤレスＵＳＢ通信を用いてもよく、またＵＳＢ通信以外の他の通信手段を用いてもよい。これらの手段により、デジタルカメラ４とＤＰＦ６との間で互いに画像データ等の送受信をすることができる。
【００４３】
次に、図面を参照して第４の実施の形態に係る画像表示システムについて説明する。この第４の実施の形態に係る画像表示システムは、第１の実施の形態に係る画像表示システム２においてＤＰＦ６をテレビ８に代え、優先順位の決定をテレビ８側で行うようにしたものである。また、画像を表示した時間（以下、再生時間（Ｃｃ）、投影時間（Ｃｐ）、表示時間（Ｃｄ）及びテレビ８に画像を表示した時間等を包括的に含む用語として表示時間（Ｃｘ）を用いる。）を所定のファイルに記憶することに代えて、画像データのヘッダ部にタグ情報として記憶するようにし、今回カウントした表示時間（Ｃｘ）を既に画像データのヘッダ部に記憶されている表示時間（Ｃｘ）に加算して記憶するようにしたものである。また、ランキングモードにおいて総時間（Ｃａ）を算出する際に表示時間（Ｃｘ）に重みづけを行うことにより、それぞれの表示時間（Ｃｘ）の重要度を反映させて優先順位の決定を行うようにしたものである。従って、第１の実施の形態と同一の構成についての詳細な説明は省略し、異なる部分のみについて詳細に説明する。また、第１の実施の形態と同一の構成には同一の符号を付して説明する。
【００４４】
図１４は、第４の実施の形態に係る画像表示システム３におけるテレビ８のシステム構成を示すブロック図である。画像表示システム３はデジタルカメラ４とテレビ８を備えており、ＵＳＢケーブル７を介して接続されている。テレビ８はＣＰＵ８０を備え、ＣＰＵ８０には、テレビ８の電源のオン／オフ状態を切り替える電源スイッチ８２、テレビ８の機能設定や画像の表示設定の際に使用する操作キー８４、画像を表示する画像表示モード、画像データの優先順位を決定し優先順位に基づいて画像を表示するランキングモードを設定するモード設定部８６、テレビ８からデジタルカメラ４へのデータの転送を指示するデータ転送ボタン８８、ＵＳＢ機器が接続されるＵＳＢポート９０及びイーサネット（登録商標）規格等のネットワークケーブルが接続されるネットワーク端子９２が設けられている。
【００４５】
また、ＣＰＵ８０には、図示しないアンテナを介してチューナ９４により受信した放送信号を復調する復調器９６、ＬＣＤパネル９８の表示を制御する表示制御部１００、ＬＣＤパネル９８において表示する画像の画像データを格納するＶＲＡＭ１０２、スピーカ１０４から出力する音声を制御する音声出力制御部１０６、画像データを記憶するメモリカードを着脱するメモリカードスロット１１０、ＬＣＤパネル９８において表示された画像の表示時間（Ｃｘ）をカウントする時間計測部１１２、時間計測部１１２においてカウントされた表示時間（Ｃｘ）を画像データのファイルごとに記憶するデータ記憶部１１４、ランキングモードにおいて総時間（Ｃａ）を算出する際に表示時間（Ｃｘ）に重みづけを行うための所定の係数を記憶するＲＯＭ１１５が接続されている。また、ＣＰＵ８０には、フラッシュＲＡＭ１１６が接続されており、フラッシュＲＡＭ１１６には実施の形態にかかるテレビ全体を制御するためのプログラム、および、後述のフローチャートに示す処理を実行するためのプログラムが格納されている。
【００４６】
次に、図面を参照して、第４の実施の形態に係る画像表示システム３において用いる画像ファイルの構成について説明する。画像データはＥｘｉｆ等の所定のファイル形式でメモリカードに記憶されており、例えば、図１５に示すように、２Ｄ表示用の画像ファイルであるファイル「００１．ｊｐｇ」の画像データ２０２には、サムネイル画像データ２０４及びヘッダ部２０６が付加されている。ヘッダ部２０６には、表示時間（Ｃｘ）、即ち、画像データ２０２に基づく画像がデジタルカメラ４のＬＣＤ表示部２４において再生された再生時間（Ｃｃ）、デジタルカメラ４の投影部３４により投影された投影時間（Ｃｐ）、ＤＰＦ６のＬＣＤ表示部６４において表示された表示時間（Ｃｄ）、テレビ８のＬＣＤパネル９８において表示された表示時間（Ｃｔ）、図示しない外部機器であるパソコンの表示部において表示された表示時間（Ｃｐｃ）、図示しない外部機器である携帯電話の表示部において表示された表示時間（Ｃｍ）、画像データの編集履歴（Ｃｅ）がタグ情報として記憶される。
【００４７】
ここで、表示時間（Ｃｔ）は、更に画像の表示形態及び表示サイズに分類されて記憶される。即ち、画像データ２０２に基づく画像がＬＣＤパネル９８において３Ｄ表示された場合において、テレビ８の画面サイズが６０型以上である場合には、表示時間（Ｃｔ（３Ｄ，Ｌ））が記憶される。また、テレビ８の画面サイズが２６型以上６０型未満である場合には、表示時間（Ｃｔ（３Ｄ，Ｍ））が記憶され、テレビ８の画面サイズが２６型未満である場合には、表示時間（Ｃｔ（３Ｄ，Ｓ））が記憶される。同様にして、画像データ２０２に基づく画像がＬＣＤパネル９８において２Ｄ表示された場合において、テレビ８の画面サイズが６０型以上である場合には、表示時間（Ｃｔ（２Ｄ，Ｌ））が記憶され、テレビ８の画面サイズが２６型以上６０型未満である場合には、表示時間（Ｃｔ（２Ｄ，Ｍ））が記憶され、テレビ８の画面サイズが２６型未満である場合には、表示時間（Ｃｔ（２Ｄ，Ｓ））が記憶される。
【００４８】
また、編集履歴（Ｃｅ）は、画像データに美肌処理やトリミングなどの編集が行われたか否かを示す情報であり、例えば、画像データに対して編集が行われていない場合には１．０という値が記憶され、画像データに対してトリミングが行われた場合には、編集が行われていない場合の１．０よりも大きな値である１．５という値が記憶される。この編集履歴（Ｃｅ）は、ランキングモードにおいて総時間（Ｃａ）を算出する際に係数として用いられる。
【００４９】
また、３Ｄ表示用の画像の画像ファイルには、右目用の画像データと左目用の画像データとが記憶されている。例えば、図１６に示すように、３Ｄ表示用の画像の画像ファイル「００１．ｍｐｏ」には、画像データ（右）２１０、画像データ（左）２１２が記憶され、画像データ（右）２１０及び画像データ（左）２１２にサムネイル画像データ２１４及びヘッダ部２１６が付加されている。なお、ヘッダ部２１６の構成は、図１５を用いて説明したファイル「００１．ｊｐｇ」の場合と同様である。また、画像ファイル「００１．ｍｐｏ」による画像がテレビ８のＬＣＤパネル９８において３Ｄ表示される場合、画像データ（右）２１０に基づく画像及び画像データ（左）２１２に基づく画像が交互に時分割して表示される。また、ＬＣＤパネル９８において２Ｄ表示される場合、画像データ（右）２１０に基づく画像または画像データ（左）２１２に基づく画像のいずれか一方が表示される。
【００５０】
次に、図１７に示すフローチャートを参照して、第４の実施の形態に係る画像表示システム３におけるデジタルカメラ４の画像再生処理についてについて説明する。まず、モード設定部１６を操作することにより画像再生モードが設定されると、ＣＰＵ１０は、メモリカードスロット３２に装着されているメモリカードから操作者により選択された画像データを読み出し、表示制御部２６を介して画像データに基づく画像をＬＣＤ表示部２４において再生表示する（ステップＳ７１）。画像が再生表示された場合、画像を再生表示した時間が所定の時間（例えば３秒）経過したか否かの判定を行い（ステップＳ７２）、画像を再生表示した時間が所定の時間経過した場合は（ステップＳ７２：Ｙ）、時間計測部３６において画像の再生時間（Ｃｃ）のカウントを開始する（ステップＳ７３）。一方、画像を再生表示した時間が所定の時間経過していない場合はカウントを行わない（ステップＳ７２：Ｎ）。
【００５１】
次に、ＣＰＵ１０は、ＬＣＤ表示部２４において他の画像が再生表示されたか否かの判定を行う（ステップＳ７４）。他の画像の再生表示が行われなかった場合には（ステップＳ７４：Ｎ）、ＣＰＵ１０は画像再生モードから他のモードに切替えられたか否かの判定を行う（ステップＳ７５）。他の画像が再生表示された場合（ステップＳ７４：Ｙ）及び他のモードに切替えられた場合には（ステップＳ７５：Ｙ）、ＣＰＵ１０は、今回カウントした再生時間（Ｃｃ）を既に画像データのヘッダ部に記憶されている再生時間（Ｃｃ）に加算する（ステップＳ７６）。例えば、画像ファイル「００１．ｊｐｇ」（図１５参照）において、画像データ２０２のヘッダ部２０６には既に再生時間（Ｃｃ）が１０秒記憶されていたとする。ここで、画像データ２０２に基づく画像がＬＣＤ表示部２４おいて５秒間再生された場合、ＣＰＵ１０は、既にヘッダ部２０６に記憶されている１０秒に今回カウントした５秒を加算して再生時間（Ｃｃ）を１５秒に更新する。一方、他のモードに切替えられていない場合には（ステップＳ７５：Ｎ）、画像の再生時間（Ｃｃ）のカウントを継続する（ステップＳ７３）。なお、ＣＰＵ１０は、画像再生モードの終了後、再生時間（Ｃｃ）を加算した画像データの画像ファイルをメモリカードスロット３２に装着されているメモリカードに記憶させる。
【００５２】
次に、操作者によりデータ転送ボタン１８が操作されると、デジタルカメラ４のＣＰＵ１０は、メモリカードスロット３２に装着されているメモリカードに記憶される画像ファイルを読み出し、ＵＳＢポート２０からＵＳＢケーブル７を介してテレビ８に対して送信する。テレビ８はＵＳＢポート９０を介して画像ファイルを受信し、ＣＰＵ８０の指示により画像ファイルがメモリカードスロット１１０に装着されているメモリカードに記憶される。
【００５３】
次に、図１８に示すフローチャートを参照して、第４の実施の形態に係る画像表示システム３におけるテレビ８の画像表示処理について、テレビ８がＬＣＤパネル９８において画像を２Ｄ表示する６０型の画面サイズのテレビである場合を例に説明する。まず、モード設定部８６を操作することにより画像表示モードが設定されると、ＣＰＵ８０は、メモリカードスロット１１０に装着されているメモリカードから操作者により選択された画像データを読み出し、表示制御部１００を介して画像データに基づく画像をＬＣＤパネル９８において表示する（ステップＳ８１）。画像が表示された場合、ＣＰＵ８０は画像を表示した時間が所定の時間（例えば３秒）経過したか否かの判定を行い（ステップＳ８２）、画像を表示した時間が所定の時間経過した場合は（ステップＳ８２：Ｙ）、ＣＰＵ８０は時間計測部１１２において画像の表示時間（Ｃｔ（２Ｄ，Ｌ））のカウントを開始する（ステップＳ８３）。一方、画像を表示した時間が所定の時間経過していない場合はカウントを行わない（ステップＳ８２：Ｎ）。
【００５４】
次に、ＣＰＵ８０は、ＬＣＤパネル９８において他の画像が表示されたか否かの判定を行う（ステップＳ８４）。他の画像の表示が行われなかった場合は（ステップＳ８４：Ｎ）、ＣＰＵ８０は画像表示モードから他のモードに切替えられたか否かの判定を行う（ステップＳ８５）。他の画像が表示された場合（ステップＳ８４：Ｙ）及び他のモードに切替えられた場合には（ステップＳ８５：Ｙ）、ＣＰＵ８０は、今回カウントした表示時間（Ｃｔ（２Ｄ，Ｌ））を既に画像データのヘッダ部に記憶されている表示時間（Ｃｔ（２Ｄ，Ｌ））に加算する（ステップＳ８６）。例えば、画像ファイル「００１．ｊｐｇ」（図１５参照）において、画像データ２０２のヘッダ部２０６には既に再生時間（Ｃｔ（２Ｄ，Ｌ））が１０秒記憶されていたとする。ここで、画像データ２０２に基づく画像がＬＣＤパネル９８で５秒間表示された場合、ＣＰＵ８０は、既にヘッダ部２０６に記憶されている１０秒に今回カウントした５秒を加算して表示時間（Ｃｔ（２Ｄ，Ｌ））を１５秒に更新する。一方、他のモードに切替えられていない場合には（ステップＳ８５：Ｎ）、画像の表示時間（Ｃｔ（２Ｄ，Ｌ））のカウントを継続する（ステップＳ８３）。なお、ＣＰＵ８０は、画像再生モードの終了後、表示時間（Ｃｔ（２Ｄ，Ｌ））を加算した画像データの画像ファイルをメモリカードスロット１１０に装着されているメモリカードに記憶させる。
【００５５】
次に、図を参照して第４の実施の形態に係る画像表示システム３による優先順位決定処理についてについて説明する。図１９は、テレビ８の優先順位決定処理を示すフローチャートである。まず、モード設定部８６を操作することによりランキングモードが設定されると、ＣＰＵ８０は、メモリカードスロット１１０に装着されているメモリカードに記憶されている画像ファイルの画像データに付加されたヘッダ部から編集履歴（Ｃｅ）及び表示時間（Ｃｘ）を読み出し、ＲＯＭ１１５から所定の係数を読み出す（ステップＳ９１）。次に、メモリカードに記憶されている画像ファイルごとに、数式１に基づいて総時間（Ｃａ）の算出を行う（ステップＳ９２）。
【００５６】
総時間（Ｃａ）＝編集履歴（Ｃｅ）×［α×再生時間（Ｃｃ）＋β×投影時間（Ｃｐ）＋γ×表示時間（Ｃｄ）＋δ１×表示時間（Ｃｔ（３Ｄ，Ｌ））＋δ２×表示時間（Ｃｔ（３Ｄ，Ｍ））＋δ３×表示時間（Ｃｔ（３Ｄ，Ｓ））＋δ４×表示時間（Ｃｔ（２Ｄ，Ｌ））＋δ５×表示時間（Ｃｔ（２Ｄ，Ｍ））＋δ６×表示時間（Ｃｔ（２Ｄ，Ｓ））＋ε×表示時間（Ｃｐｃ）＋ζ×表示時間（Ｃｍ）］…  数式１  
ここで、数式１において、大きな画面に表示され大勢の人に鑑賞される画像の表示時間（Ｃｘ）には大きな値の係数が乗算され、小さな画面に表示される確認用の画像の表示時間（Ｃｘ）には小さな値の係数が乗算される。また、テレビ８のＬＣＤパネル９８に２Ｄ表示される画像の表示時間（Ｃｘ）に乗算される係数よりも、３Ｄ表示される画像の表示時間（Ｃｘ）に乗算される係数の方が大きな値である。従って、所定の係数の値は、ζ＝α＝ε＜γ＜δ６＜δ５＜δ４＜δ３＜δ２＜δ１＜βの順になるように設定される。
【００５７】
総時間（Ｃａ）は、例えば、画像ファイル「００１．ｊｐｇ」の画像データのヘッダ部に記憶されている編集履歴（Ｃｅ）の値が１．０で、表示時間（Ｃｘ）の値及び表示時間（Ｃｘ）の値に対応する所定の係数の値が図２０に示すような数値であった場合、数式１に基づいて、総時間（Ｃａ）＝１．０×［１．０×１５秒＋４．０×８秒＋１．５×０秒＋２．８×０秒＋２．６×０秒＋２．４×０秒＋２．２×１５秒＋２．０×０秒＋１．８×０秒＋１．０×４秒＋１．０×３秒］＝８７秒のように算出される。
【００５８】
次に、ＣＰＵ８０は、総時間（Ｃａ）の大きい順に画像データの優先順位を決定し、順位を記憶させる（ステップＳ９３）。例えば、メモリカードに画像ファイル「００１．ｊｐｇ」の他に画像ファイル「００２．ｊｐｇ」及び画像ファイル「００３．ｊｐｇ」が記憶されており、それぞれの画像ファイルについて総時間（Ｃａ）が算出されたとする。そして、画像ファイル「００１．ｊｐｇ」の画像データに基づく画像の総時間（Ｃａ）が８７秒、画像ファイル「００２．ｊｐｇ」の画像データに基づく画像の総時間（Ｃａ）が９５秒、画像ファイル「００３．ｊｐｇ」の画像データに基づく画像の総時間（Ｃａ）が５２秒であったとする。この場合、画像データの優先順位は、画像ファイル「００１．ｊｐｇ」の画像データ、画像ファイル「００３．ｊｐｇ」の画像データ、画像ファイル「００２．ｊｐｇ」の画像データの順になる。次に、ＣＰＵ８０の指示により優先順位に基づいてメモリカードスロット１１０に装着されているメモリカードから画像データを順次読み出し、表示制御部１００は読み出した画像データに基づく画像を順次ＬＣＤパネル９８において表示する（ステップＳ１０４）。例えば、１０秒間隔で表示画像を切り替え、優先順位の若い順に画像を表示させる。
【００５９】
この第４の実施の形態に係る画像表示システム３によれば、デジタルカメラ４において画像が再生された時間をカウントし、テレビ８においてデジタルカメラ４でカウントされた時間に基づいて画像データの優先順位を決定することができる。また、表示時間（Ｃｘ）に所定の係数を乗算することにより、それぞれの表示時間（Ｃｘ）の重要度を反映させて優先順位を決定することができる。また、表示時間（Ｃｘ）に編集履歴（Ｃｅ）の値を乗算することにより、編集された画像データの優先順位を高くすることができる。また、デジタルカメラ４及びテレビ８において、今回カウントした表示時間（Ｃｘ）を既に画像データのヘッダ部に記憶されている表示時間（Ｃｘ）に加算するため、画像が過去に表示された合計時間も考慮して優先順位を決定することができる。
【００６０】
次に、図面を参照して第５の実施の形態に係るテレビ８について、テレビ８がＬＣＤパネル９８において画像を３Ｄ表示する６０型の画面サイズのテレビである場合を例に説明する。この第５の実施の形態に係るテレビ８は、第４の実施の形態に係る画像表示システム２において行っている一連の処理をテレビ８内で行うようにしたものである。また、ランキングモードにおいて総時間（Ｃａ）を算出する際に、自装置に表示された画像の表示時間（Ｃｘ）のみを反映させるようにしたものである。また、３Ｄ表示用の画像データに基づく画像をＬＣＤパネル９８において表示した場合、３Ｄ表示用の画像データに従属する２Ｄ表示用の画像データ（例えば、同一の画像について３Ｄ表示用の画像データと２Ｄ表示用の画像データが存在する場合における２Ｄ表示用の画像データ）のヘッダ部にも表示時間（Ｃｔ（３Ｄ，Ｌ））を記憶するようにしたものである。従って、第４の実施の形態と同一の構成についての詳細な説明は省略し、異なる部分のみについて詳細に説明する。また、第４の実施の形態と同一の構成には同一の符号を付して説明する。
【００６１】
次に、第５の実施の形態に係るテレビ８の画像表示処理について説明する。まず、ＣＰＵ８０は、３Ｄ表示用の画像データに基づく画像がＬＣＤパネル９８に３Ｄ表示された表示時間（Ｃｔ（３Ｄ，Ｌ））をカウントして、表示時間（Ｃｔ（３Ｄ，Ｌ））を３Ｄ表示用の画像データのヘッダ部に記憶する。例えば、画像ファイル「００１．ｍｐｏ」（図１６参照）の画像データ（右）２１０に基づく画像及び画像データ（左）２１２に基づく画像がＬＣＤパネル９８において合計１８秒間３Ｄ表示されたとする。この場合、ＣＰＵ８０は、画像データ（右）２１０及び画像データ（左）２１２のヘッダ部に表示時間（Ｃｔ（３Ｄ，Ｌ））を１８秒記憶する。
【００６２】
ここで、メモリカードにＬＣＤパネル９８に３Ｄ表示した画像の画像データに従属する２Ｄ表示用の画像データが記憶されている場合、ＣＰＵ８０は、従属する２Ｄ表示用の画像データのヘッダ部にも同一の表示時間（Ｃｔ（３Ｄ，Ｌ））を記憶する。例えば、メモリカードに２Ｄ表示用の画像の画像ファイル「００１．ｊｐｇ」（図１５参照）が記憶されており、画像ファイル「００１．ｊｐｇ」の画像データ２０２が画像ファイル「００１．ｍｐｏ」（図１６参照）の画像データ（右）２１０及び画像データ（左）２１２に従属する場合、ＣＰＵ８０は、２Ｄ表示用の画像データ２０２のヘッダ部２０６にも表示時間（Ｃｔ（３Ｄ，Ｌ））を１８秒記憶する。
【００６３】
次に、図面を参照して第５の実施の形態に係るテレビ８による優先順位決定処理について説明する。図２１は、テレビ８の優先順位決定処理を示すフローチャートである。まず、モード設定部８６を操作することによりランキングモードが設定されると、ＣＰＵ８０は、メモリカードスロット１１０に装着されているメモリカードに記憶されている画像ファイルの中から、画像データのヘッダ部に表示時間（Ｃｔ（３Ｄ，Ｌ））が記憶されている画像ファイルを検出する（ステップＳ１０１）。
【００６４】
例えば、メモリカードに３Ｄ表示用の画像データの画像ファイル「００１．ｍｐｏ」、画像ファイル「００２．ｍｐｏ」、画像ファイル「００３．ｍｐｏ」、画像ファイル「００４．ｍｐｏ」及び画像ファイル「００５．ｍｐｏ」が記憶されていたとする。この場合において、画像ファイル「００１．ｍｐｏ」、画像ファイル「００２．ｍｐｏ」及び「００３．ｍｐｏ」の画像データのヘッダ部には、表示時間（Ｃｔ（３Ｄ，Ｌ））が記憶されており、画像ファイル「００４．ｍｐｏ」及び画像ファイル「００５．ｍｐｏ」の画像データのヘッダ部には、表示時間（Ｃｔ（３Ｄ，Ｌ））が記憶されていなかった場合、ＣＰＵ８０は、画像ファイル「００１．ｍｐｏ」、画像ファイル「００２．ｍｐｏ」及び「００３．ｍｐｏ」を検出し、画像ファイル「００４．ｍｐｏ」及び「００５．ｍｐｏ」は検出しない。
【００６５】
次に、ＣＰＵ８０は、検出した画像ファイルの画像データのヘッダ部に記憶されている編集履歴（Ｃｅ）及び表示時間（Ｃｔ（３Ｄ，Ｌ））を読み出し、編集履歴（Ｃｅ）及び表示時間（Ｃｔ（３Ｄ，Ｌ））に基づいて画像データごとに総時間（Ｃａ）の算出を行う（ステップＳ１０２）。
【００６６】
例えば、画像ファイル「００１．ｍｐｏ」の画像データのヘッダ部には、編集履歴（Ｃｅ）の値１．０及び表示時間（Ｃｔ（３Ｄ，Ｌ））が１８秒記憶され、画像ファイル「００２．ｍｐｏ」の画像データのヘッダ部には、編集履歴（Ｃｅ）の値１．０及び表示時間（Ｃｔ（３Ｄ，Ｌ））が１０秒記憶され、画像ファイル「００３．ｍｐｏ」の画像データのヘッダ部には、編集履歴（Ｃｅ）の値１．５及び表示時間（Ｃｔ（３Ｄ，Ｌ））が８秒記憶されていたとする。
【００６７】
この場合、総時間（Ｃａ）は、画像ファイル「００１．ｍｐｏ」の画像データについては、１．０×１８秒＝１８秒のように算出される。同様にして、画像ファイル「００２．ｍｐｏ」の画像データについては、１．０×１０秒＝１０秒のように算出され、画像ファイル「００３．ｍｐｏ」の画像データについては、１．５×８秒＝１２秒のように算出される。
【００６８】
次に、ＣＰＵ８０は、この算出した総時間（Ｃａ）の大きい順に画像データの優先順位を決定する（ステップＳ１０３）。例えば、画像データの優先順位は、画像ファイル「００１．ｍｐｏ」の画像データ、画像ファイル「００３．ｍｐｏ」の画像データ、画像ファイル「００２．ｍｐｏ」の画像データの順になる。次に、ＣＰＵ８０の指示により優先順位に基づいてメモリカードスロット１１０に装着されているメモリカードから画像データを順次読み出し、表示制御部１００は、読み出した画像データに基づく画像を順次ＬＣＤパネル９８において表示する（ステップＳ１０４）。例えば、１０秒間隔で表示画像を切り替え、優先順位の若い順に画像を表示させる。
【００６９】
この第５の実施の形態に係るテレビ８によれば、自装置に表示された画像の表示時間（Ｃｔ）に基づいて画像データの優先順位を決定することができる。また、３Ｄ表示用の画像データに基づく画像をＬＣＤパネル９８において表示した場合に３Ｄ表示用の画像データに従属する２Ｄ表示用の画像データのヘッダ部にも表示時間（Ｃｔ（３Ｄ，Ｌ））を記憶するため、相互に関連づけられた画像データのヘッダ部に統一した表示時間（Ｃｘ）を記憶することができる。
【００７０】
なお、上述の実施の形態においては、モード設定部８６を操作することによりランキングモードが設定される場合を例に説明しているが、ＵＳＢポートを介して新たな画像データを受信した場合やメモリカードスロット１１０にメモリカードが装着された場合にランキングモードを設定するようにしてもよい。
【００７１】
また、第４の実施の形態においては、再生時間（Ｃｃ）をカウントする際に今回カウントした再生時間（Ｃｃ）を加算する場合を例に説明しているが、既に記憶されている再生時間（Ｃｃ）に今回カウントした再生時間（Ｃｃ）を上書きするようにしてもよい。また、既に記憶されている再生時間（Ｃｃ）と今回カウントした再生時間（Ｃｃ）との平均値を記憶するようにしてもよい。例えば、既に記憶されている再生時間（Ｃｃ）が８秒で、今回カウントした再生時間（Ｃｃ）が１０秒であった場合、平均値である９秒を記憶するようにしてもよい。
【００７２】
また、第５の実施の形態においては、３Ｄ表示用の画像データに基づく画像がＬＣＤパネル９８において表示された場合、従属する２Ｄ表示用画像データのヘッダ部にも同一の表示時間を記憶する場合を例に説明しているが、異なる表示時間を記憶してもよい。例えば、３Ｄ表示用の画像データに基づく画像が１８秒間３Ｄ表示された場合、従属する２Ｄ表示用画像データのヘッダ部にはその０．５倍の値である９秒を表示時間（Ｃｔ（３Ｄ，Ｌ））として記憶してもよい。また、３Ｄ表示用の画像データに基づく画像の表示時間（Ｃｔ（３Ｄ，Ｌ））と従属する２Ｄ表示用の画像データに基づく画像の表示時間（Ｃｔ（２Ｄ，Ｌ））とが異なる場合、両方の画像データのヘッダ部に３Ｄ表示用の画像データの表示時間（Ｃｔ（３Ｄ，Ｌ））のみを記憶するようにしてもよい。例えば、３Ｄ表示用の画像データに基づく画像が５秒間表示され、従属する２Ｄ表示用の画像データに基づく画像が１５秒間表示された場合、双方の画像データのヘッダ部に５秒を表示時間（Ｃｔ（３Ｄ，Ｌ））として記憶してもよい。また、２Ｄ表示用のテレビのＬＣＤパネルにおいて３Ｄ表示用の画像データに基づく画像と従属する２Ｄ表示用の画像データに基づく画像がそれぞれ表示された場合、何れの画像データのヘッダ部にも２Ｄ表示用の画像データの表示時間のみを記憶するようにしてもよい。
【００７３】
また、上述の実施の形態においては、ランキングモードにおいて、総時間（Ｃａ）が算出された全ての画像データに基づく画像を表示する場合を例に説明しているが、特定の画像データに基づく画像のみを表示するようにしてもよい。例えば、総時間（Ｃａ）が算出された画像データのうち、１月１日に撮影された画像データに基づく画像のみを総時間（Ｃａ）の大きい順に表示するようにしてもよい。また、撮影日ごとに総時間（Ｃａ）を算出し、各撮影日におけるランキングが１位の画像データに基づく画像をスライド表示するようにしてもよい。また、特定の期間（例えば、１週間や１ヶ月）ごとに総時間（Ｃａ）を算出し、それぞれの特定の期間におけるランキングが１位の画像データに基づく画像をスライド表示するようにしてもよい。また、各撮影日におけるランキングが上位３位までの画像データに基づく画像をスライド表示するようにしてもよい。
【００７４】
また、第４の実施の形態において、所定の係数の値を変更できるようにしてもよい。例えば、テレビ８に画像データに基づく画像の印刷を行う印刷部を備え、印刷部により３回以上画像が印刷された場合、総時間（Ｃａ）を算出する際に所定の係数の値を２倍するようにしてもよい。
【００７５】
また、上述の実施の形態において、総時間（Ｃａ）に基準値を設け、総時間（Ｃａ）が基準値に満たない画像データについては優先順位の決定を行わず、表示の対象から除外するようにしてもよい。また、総時間（Ｃａ）が基準値に満たない画像データをメモリカードから削除するようにしてもよい。
【００７６】
また、上述の実施の形態においては、画像の編集が行われた場合、編集履歴（Ｃｅ）を画像データのヘッダ部に記憶しているが、編集時の画像の状態を記憶するようにしてもよい。例えば、画像表示モードにおいて人物の画像の顔の部分がズームで表示された場合、ＣＰＵは、ズームされた領域に関する情報を画像データのヘッダ部に記憶する。そして、ランキングモードにおいてこの画像を表示する場合、ＣＰＵは、ズームされた領域に関する情報に基づいて人物の画像の顔の部分を表示するようにしてもよい。
【００７７】
また、上述の実施の形態において、操作者が意図的に鑑賞した画像の優先順位を高くするようにしてもよい。例えば、ＣＥＣ（Consumer Electronics Control）により選択された画像の総時間（Ｃａ）を算出する場合、優先順位決定処理において算出した合計値に更に係数Ｃｃｅｃを乗算した値を総時間（Ｃａ）として記憶するようにしてもよい。
【００７８】
また、第５の実施の形態においては、画像データのヘッダ部に今回カウントした表示時間（Ｃｘ）を上書きする場合を例に説明しているが、第４の実施の形態を用いて説明した例と同様に、既に画像データのヘッダ部に記憶されている表示時間（Ｃｘ）に今回カウントした表示時間（Ｃｘ）を加算するようにしてもよい。
【００７９】
また、第４及び第５の実施の形態においては、編集履歴（Ｃｅ）及び表示時間（Ｃｘ）を画像データのヘッダ部にタグ情報として記憶しているが、第１の実施の形態〜第３の実施の形態と同様に、例えば、図２２に示す第６ファイルに編集履歴（Ｃｅ）及び表示時間（Ｃｘ）を記憶し、総時間（Ｃａ）を算出するようにしてもよい。
【００８０】
また、第４及び第５の実施の形態においては、優先順位決定処理をテレビ８において行う場合を例に説明しているが、テレビ８に代えてパソコンや携帯電話等の表示装置において優先順位決定処理を行うようにしてもよい。この場合、ＣＰＵは、パソコンの表示部に画像が表示された表示時間（Ｃｐｃ）（図１５参照）や携帯電話の表示部に画像が表示された表示時間（Ｃｍ）（図１５参照）を優先順位決定処理において用いるようにしてもよい。
【００８１】
また、第４及び第５の実施の形態においては、画像データに基づく画像を表示部に表示する場合を例に説明しているが、サムネイル画像データに基づいて画像を表示するようにしてもよい。
【００８２】
また、第４の実施の形態において、第１の実施の形態と同様に、デジタルカメラ４側で投影部３４により画像の投影を行い、投影時間（Ｃｐ）をカウントし、画像データのヘッダ部に記憶投影時間（Ｃｐ）を記憶するようにしてもよい。
【００８３】
また、第４の実施の形態において、デジタルカメラ４とテレビ８を入れ替え、デジタルカメラ４側で優先順位の決定を行うようにしてもよい。
【００８４】
また、第４の実施の形態においては、ＵＳＢケーブル７を介してデジタルカメラ４とテレビ８との間の通信を行っているが、メモリカードスロット３２、１１０にメモリカードを着脱することにより直接メモリカードからデータを取得するようにしてもよい。また、ワイヤレスＵＳＢ通信を用いてもよく、またＵＳＢ通信以外の他の通信手段を用いてもよい。これらの手段により、デジタルカメラ４とテレビ８との間で互いに画像データ等の送受信を行うことができる。
【符号の説明】
【００８５】
２…画像表示システム、４…デジタルカメラ、６…デジタルフォトフレーム、７…ＵＳＢケーブル、５０…ＣＰＵ、５２…電源スイッチ、５４…操作キー、５６…モード設定部、５８…データ転送ボタン、６０…ＵＳＢポート、６４…ＬＣＤ表示部、６６…表示制御部、６８…記憶部、７０…メモリカードスロット、７２…時間計測部、７４…データ記憶部
【図１】
2011099450.tif 000003
【図２】
2011099450.tif 000004
【図３】
2011099450.tif 000005
【図４】
2011099450.tif 000006
【図５】
2011099450.tif 000007
【図６】
2011099450.tif 000008
【図７】
2011099450.tif 000009
【図８】
2011099450.tif 000010
【図９】
2011099450.tif 000011
【図１０】
2011099450.tif 000012
【図１１】
2011099450.tif 000013
【図１２】
2011099450.tif 000014
【図１３】
2011099450.tif 000015
【図１４】
2011099450.tif 000016
【図１５】
2011099450.tif 000017
【図１６】
2011099450.tif 000018
【図１７】
2011099450.tif 000019
【図１８】
2011099450.tif 000020
【図１９】
2011099450.tif 000021
【図２０】
2011099450.tif 000022
【図２１】
2011099450.tif 000023
【図２２】
2011099450.tif 000024
【国際調査報告】
2011099450.tif 000025
2011099450.tif 000026